(57)【要約】  【課題】  メダル投入口から投入口挿入式不正器具を挿入してメダル検出手段を誤動作させることによる不正行為を防止できる遊技機を提供する。  【解決手段】  メダル投入口の下流側に設けられ且つメダル投入口に投入されたメダルをメダル貯留部側に流下させる案内通路３１と、不適正メダルを案内通路３１上から除去する不適正メダル除去手段３２と、不適正メダル除去手段３２よりも下流側で案内通路３１を流下するメダルを検出するメダル検出手段３３とを備えた遊技機で、案内通路３１に、互いに異なる向きに屈曲する第１，第２屈曲部４４，４５を設け、メダル検出手段３３を、第１，第２屈曲部４４，４５のうち、より下流側に設けられた第２屈曲部４５上又はそれよりも下流側に配置したものである。【選択図】  図３
2006263195.tif 000002
【特許請求の範囲】
【請求項１】
メダル投入口（１７）と、該メダル投入口（１７）の下流側に設けられ且つ前記メダル投入口（１７）に投入されたメダルをメダル貯留部（１０）側に流下させる案内通路（３１）と、不適正メダルを前記案内通路（３１）上から除去する不適正メダル除去手段（３２）と、該不適正メダル除去手段（３２）よりも下流側で前記案内通路（３１）を流下するメダルを検出するメダル検出手段（３３）とを備えた遊技機において、前記案内通路（３１）は、互いに異なる向きに屈曲する第１，第２屈曲部（４４）（４５）を備え、前記メダル検出手段（３３）を、前記第１，第２屈曲部（４４）（４５）のうち、より下流側に設けられた前記第２屈曲部（４５）上又はそれよりも下流側に配置したことを特徴とする遊技機。
【請求項２】
前記案内通路（３１）は、前記メダル投入口（１７）から略下向きに設けられた縦通路部（４１）と、該縦通路部（４１）の下流側に前記第１屈曲部（４４）を介して接続され且つ傾斜状に設けられた傾斜通路部（４２）とを備え、前記メダル検出手段（３３）を、前記傾斜通路部（４２）の下流側に接続された前記第２屈曲部（４５）上又はそれよりも下流側に配置したことを特徴とする請求項１に記載の遊技機。
【請求項３】
前記第２屈曲部（４５）の下流側に、傾斜状又は略下向きに設けられた延長通路部（４３）が接続され、この延長通路部（４３）上に前記メダル検出手段（３３）を配置したことを特徴とする請求項１又は２に記載の遊技機。
【請求項４】
前記メダル検出手段（３３）を、前記第２屈曲部（４５）の内周側又はその下流側に沿って配置したことを特徴とする請求項１〜３の何れかに記載の遊技機。
【請求項５】
前記第１，第２屈曲部（４４）（４５）の少なくとも一方が、前記案内通路（３１）を面外方向に屈曲させるように形成されていることを特徴とする請求項１〜４の何れかに記載の遊技機。
【発明の詳細な説明】
【技術分野】
【０００１】
本発明は、スロットマシン等、遊技媒体としてメダルを用いる遊技機に関するものである。
【背景技術】
【０００２】
遊技媒体としてメダルを用いるスロットマシン等の遊技機には、メダル投入口に投入されたメダルのうち、不適正メダルを返却通路側に案内し、適正メダルのみを内部のメダル貯留部側に流下させるメダル選別手段が設けられている。
【０００３】
このメダル選別手段は、メダル投入口の下流側に設けられ且つメダル投入口に投入されたメダルをメダル貯留部側に流下させる案内通路と、この案内通路上に設けられ且つ不適正メダルを案内通路上から返却通路側に除去する不適正メダル除去手段と、この不適正メダル除去手段よりも下流側に配置され且つ案内通路を流下するメダルを検出するメダル検出手段とを備え、不適正メダル除去手段により除去されることなく案内通路を流下した適正メダルをメダル検出手段により検出して、その検出個数に基づいて例えばクレジットを加算するようになっている（例えば特許文献１参照）。
【０００４】
なお、メダル検出手段は、フォトセンサ等により構成され、メダルの流下方向に沿って複数、例えば２個隣接して配置されており、それら２つのメダル検出手段の検出タイミングが所定条件を満たす場合にのみ正常な検出と判断することにより、不正行為やチャタリング等による誤検出を排除するようになっている。
【特許文献１】特開２００４−２０６４８５号公報
【発明の開示】
【発明が解決しようとする課題】
【０００５】
上記のようなメダル選別手段を搭載した従来の遊技機では、次のような手口で不正にクレジットを増加させる行為が行われた例がある。即ち、この不正行為は、メダル投入口から案内通路に沿って挿入可能な細長薄板状のアーム部の先端に、メダル検出手段の位置に一致するように発光手段等の信号出力部を配置した器具（以下、投入口挿入式不正器具という）を用い、遊技ホールにおいてその器具を密かに遊技機のメダル投入口にセットすると共に信号出力部から所定の信号を出力させてメダル検出手段を誤動作させることにより、メダルを投入することなくクレジットを増加させるものである。
【０００６】
この種の器具を用いた不正行為は、その遊技機用に作られた器具さえあれば誰でも簡単に実行することが可能で、また器具がメダル投入口へ挿入されてしまうと周囲からは分かりにくく、発見が難しいという問題点がある。
【０００７】
本発明は、このような従来の問題点に鑑み、メダル投入口から投入口挿入式不正器具を挿入してメダル検出手段を誤動作させることによる不正行為を防止できる遊技機を提供することを目的とする。
【課題を解決するための手段】
【０００８】
本発明は、メダル投入口１７と、該メダル投入口１７の下流側に設けられ且つ前記メダル投入口１７に投入されたメダルをメダル貯留部１０側に流下させる案内通路３１と、不適正メダルを前記案内通路３１上から除去する不適正メダル除去手段３２と、該不適正メダル除去手段３２よりも下流側で前記案内通路３１を流下するメダルを検出するメダル検出手段３３とを備えた遊技機において、前記案内通路３１は、互いに異なる向きに屈曲する第１，第２屈曲部４４，４５を備え、前記メダル検出手段３３を、前記第１，第２屈曲部４４，４５のうち、より下流側に設けられた前記第２屈曲部４５上又はそれよりも下流側に配置したものである。
【発明の効果】
【０００９】
本発明によれば、投入口挿入式不正器具のアーム部分を、その先端側がメダル検出手段３３まで届くように形成することは困難であり、投入口挿入式不正器具による不正行為を効果的に防止できる。
【発明を実施するための最良の形態】
【００１０】
以下、本発明の実施形態を図面に基づいて詳述する。図１〜図９は、本発明をスロットマシンとして具現化した第１の実施形態を例示している。図１及び図２において、１は遊技機本体で、前側が開放した矩形箱状の本体ケース２と、この本体ケース２の前側に配置された矩形状の前面パネル３とを備えている。
【００１１】
本体ケース２は、その上下方向略中央部分に内部空間を上下に仕切るように中間支持板４が略水平に配置されており、その中間支持板４上に、遊技図柄表示リール５ａ〜５ｃを左右方向に備えた表示リールユニット６が配置され、中間支持板４の下側に、メダル払い出し装置７、メダル補助ケース８、電源ユニット９等が配置されている。
【００１２】
メダル払い出し装置７は、払い出し用のメダルを貯留するメダルホッパー（メダル貯留部）１０、このメダルホッパー１０内のメダルを払い出すメダル払い出し手段１１、メダルホッパー１０から溢れたメダル等の余剰メダルをメダル補助ケース８側に排出する余剰メダル排出口１２等を備えている。
【００１３】
前面パネル３は、左右一端側に配置されたヒンジを介して本体ケース２に対して開閉自在に装着されており、その上部には、本体ケース２内の遊技図柄表示リール５ａ〜５ｃに対応する３つの表示窓１３ａ〜１３ｃが左右方向に配置されている。
【００１４】
また、例えば表示窓１３ａ〜１３ｃの下側には、クレジット枚数を表示するクレジット表示手段１４と獲得メダル数を表示する獲得メダル表示手段１５とが左右に配置され、更にその下側に横長状に設けられた操作パネル部１６には、遊技媒体としてのメダルを投入可能なメダル投入口１７、このメダル投入口１７内に詰まったメダルを返却させるための返却ボタン１８の他、メダル投入口１７へのメダル投入に代えてクレジットからメダルをベットするための１ＢＥＴボタン１９及びマックスＢＥＴボタン２０、獲得したメダルをクレジットするか払い出すかの設定を切り換えるためのＣ／Ｐボタン２１、遊技図柄表示リール５ａ〜５ｃの回転を開始させるためのスタートレバー２２、回転中の遊技図柄表示リール５ａ〜５ｃを夫々個別に停止させるためのストップボタン２３ａ〜２３ｃ等が設けられている。
【００１５】
メダル投入口１７は、例えば左右方向に長い細長状の開口部１７ａを上向きに備えており、この開口部１７ａにメダルを１枚ずつ投入可能となっている。また、返却ボタン１８は例えばメダル投入口１７に隣接して配置されている。
【００１６】
前面パネル３の下端部前側には、メダル払い出し手段１１から払い出されたメダル等を前側に排出するための排出口２４が設けられ、その前側に、排出口２４から排出されたメダルを受けるメダル受け皿２５が横長状に配置されている。
【００１７】
前面パネル３の裏側には、メダル投入口１７に投入されたメダルの選別を行うメダル選別手段２６、このメダル選別手段２６により不適正と判別されたメダルを排出口２４側に案内する返却通路２７等が設けられている。
【００１８】
メダル選別手段２６は、メダル投入口１７に投入されたメダルが適正か否かを判別して、不適正メダルをメダル受け皿２５側に返却し、適正メダルのみを検出してメダルホッパー（メダル貯留部）１０に収容させるもので、図３〜図７に示すように、選別装置本体２８と、適正メダルを選別装置本体２８側からメダルホッパー１０側に案内するシュート２９等により構成されており、選別装置本体２８上に、メダル投入口１７の下流側に設けられ且つメダル投入口１７に投入されたメダルをメダルホッパー１０側に向けて流下させる案内通路３１、不適正メダルを案内通路３１から除去する不適正メダル除去手段３２、この不適正メダル除去手段３２よりも下流側で案内通路３１を流下する適正メダルを検出するメダル検出手段３３等が設けられている。
【００１９】
選別装置本体２８は、前面パネル３の裏側で且つメダル投入口１７の下側に着脱自在に装着されたベースプレート３４と、このベースプレート３４の裏面側に装着されたカバープレート３５とを備えている。
【００２０】
ベースプレート３４は、略平板状に形成され、例えばその左右両縁部から後ろ向きに補強リブ３４ａが延設されており、前面パネル３と略平行となるように前面パネル３の裏側で且つメダル投入口１７の下側に着脱自在に装着されている。また、ベースプレート３４の背面側には、案内通路３１が、適正メダルの直径及び厚さと略等しい幅及び深さの溝状に形成されている。
【００２１】
案内通路３１は、ベースプレート３４の上縁側から略下向きに形成された縦通路部４１と、この縦通路部４１の下流側に傾斜状に形成された傾斜通路部４２と、この傾斜通路部４２の下流側からベースプレート３４の下縁側にわたって略下向きに形成された延長通路部４３と、縦通路部４１の下流端側と傾斜通路部４２の上流端側とを接続する第１屈曲部４４と、傾斜通路部４２の下流端側と延長通路部４３の上流端側とを接続する第２屈曲部４５とで構成され、縦通路部４１の上流端側がメダル投入口１７の下側に連通する通路入口３１ａ、延長通路部４３の下流端側がシュート２９に連通する通路出口３１ｂとなっており、縦通路部４１、第１屈曲部４４、傾斜通路部４２、第２屈曲部４５、延長通路部４３の全てがベースプレート３４の背面側に沿って同一平面内に形成されている。
【００２２】
カバープレート３５は、案内通路３１をその後側から略覆うようにベースプレート３４の背面側に沿って配置され、例えばその上部側が、傾斜通路部４２の上側においてベースプレート３４と略平行な回転軸４６廻りに回転可能に支持されており、バネ部材４７によりベースプレート３４側に弾性付勢されている。
【００２３】
このカバープレート３５は、案内通路３１を後側から覆うように配置されると共に、傾斜通路部４２に対応して除去窓４８が開口状に形成され、その上流側には、例えば縦通路部４１から第１屈曲部４４までを後側から覆う上流側カバー部４９ａが、下流側には、例えば第２屈曲部４５から延長通路部４３までを後側から覆う下流側カバー部４９ｂが、夫々設けられている。
【００２４】
除去窓４８は、その下縁部４８ａが傾斜通路部４２の下縁部４２ａに沿ってその下縁部４２ａよりも僅かに上側に突出しており、傾斜通路部４２上を流下するメダルの下端部をその下縁部４８ａで前側から保持して下流側に案内するようになっている。また、除去窓４８の上縁部４８ｂは、傾斜通路部４２の上縁部４２ｂよりも上側に配置され、傾斜通路部４２を流下するメダルとは接触しないようになっている。
【００２５】
また、カバープレート３５の背面側には、除去窓４８を介して後向きに落下した遊技球を返却通路２７側に案内する除去案内手段５０が設けられている。除去案内手段５０は、除去窓４８の左右両側に配置され且つカバープレート３５の背面側から後ろ向きに延設された一対の側壁５０ａと、これら左右の側壁５０ａの後縁部側を左右に接続する背面板５０ｂとで除去窓４８を後側から覆うようにカバープレート３５に一体に形成されており、その下端側が返却通路２７の上端側に連通している。
【００２６】
ベースプレート３４の前面側には、図５等に示すように、返却ボタン１８側の上下方向の動作をカバープレート３５の揺動動作に変換するためのカム部材５１が揺動自在に配置されており、返却ボタン１８が押されたとき、所定の連動機構を介してカム部材５１が揺動して、バネ部材４７の付勢力に抗してカバープレート３５を後ろ向きに押圧し、カバープレート３５がベースプレート３４の背面側から後ろ向きに離間するようになっている。
【００２７】
また、ベースプレート３４の背面側には、傾斜通路部４２の上側で且つカバープレート３５の除去窓４８内に可動ガイドプレート５２が装着されている。この可動ガイドプレート５２は、例えば傾斜通路部４２に平行な軸５２ａ廻りに揺動可能に支持されており、ベースプレート３４の前面側に装着された電磁ソレノイド等の駆動手段５３により、下縁側のガイド部５２ｂが傾斜通路部４２の上縁部４２ｂの前側に近接又は当接するガイド状態と、ガイド部５２ｂが傾斜通路部４２の上縁部４２ｂから待避する非ガイド状態とに切り替え可能となっている。
【００２８】
また、可動ガイドプレート５２は、ガイド状態では、下縁側のガイド部５２ｂが、所定の直径を有する適正メダルの上端側に僅かに掛かる程度に、傾斜通路部４２の上縁部４２ｂよりも下側に突出するようになっている。
【００２９】
なお、可動ガイドプレート５２は、通常時はガイド状態に保持されており、例えばスタート操作が行われてからそのゲームが終了するまでの期間の他、メダル検出手段３３においてエラーが発生した場合等の異常発生時に非ガイド状態に切り替えられるようになっている。
【００３０】
不適正メダル除去手段３２は、傾斜通路部４２上で且つカバープレート３５の除去窓４８内に対応して配置される１又は複数の除去案内片５４により構成されている。この除去案内片５４は、ベースプレート３４の背面側から後ろ向きに突出する突出状態と、突出しない待避状態との間で移動可能となっており、付勢手段３２ａにより突出状態に弾性付勢されている。
【００３１】
また、除去案内片５４は、傾斜通路部４２に沿って配置されており、突出状態のときに、
傾斜通路部４２を流下するメダルを後側に押し出すように、上流側縁部が傾斜状に形成されている。
【００３２】
メダルが傾斜通路部４２を流下する際、それが適正メダルであればその上縁側がガイド状態にある可動ガイドプレート５２によりガイドされるため、除去案内片５４はそのメダルに押されて突出状態から待避状態に移行し、そのメダルは落下することなく下流側に流下する（図８（ａ））。
【００３３】
一方、適正メダルよりも直径の小さい不適正メダルが傾斜通路部４２を流下する場合には、その上縁側は可動ガイドプレート５２から外れてガイドされないため、その不適正メダルは突出状態にある除去案内片５４により後側に押し出され、除去窓４８を介して返却通路２７側に落下し、メダル受け皿２５に返却される（図８（ｂ））。
【００３４】
また、スタート操作が行われてからそのゲームが終了するまでの期間や異常発生時等、可動ガイドプレート５２が非ガイド状態になっている場合には、適正メダルであっても傾斜通路部４２上でその上縁側がガイドされないため、傾斜通路部４２を流下する全てのメダルが除去案内片５４により後側に押し出され、除去窓４８を介して返却通路２７側に落下し、メダル受け皿２５に返却される（図８（ｃ））。
【００３５】
また、遊技者により返却ボタン１８が押された場合には、カバープレート３５がベースプレート３４の背面側から後ろ向きに離間して、除去窓４８の下縁部４８ａによりメダルの下端部がガイドされない状態となるため、傾斜通路部４２を流下する全てのメダルが除去案内片５４により後側に押し出され、ベースプレート３４とカバープレート３５との間を通って返却通路２７側に落下し、メダル受け皿２５に返却される（図８（ｄ））。
【００３６】
メダル検出手段３３は、不適正メダル除去手段３２で除去されることなく傾斜通路部４２を流下してきたメダル、即ち適正メダルを検出するもので、例えば反射型フォトセンサにより構成されており、延長通路部４３に沿って複数配置されている。本実施形態では、第１メダル検出手段３３ａと第２メダル検出手段３３ｂの２つのメダル検出手段３３が、上流側から所定の間隔をあけて配置されている。
【００３７】
これら第１，第２メダル検出手段３３ａ，３３ｂからの検出信号は、所定のエラー判定手段（図示省略）に入力される。このエラー判定手段は、第１，第２メダル検出手段３３ａ，３３ｂからの検出信号に基づいて所定のエラー検出条件が満たされたか否かを判定する。
【００３８】
エラー検出条件は例えば図９のように設定されている。即ち、第１メダル検出手段３３ａと第２メダル検出手段３３ｂとが共にＯＦＦのとき（区間ａ）には、第１メダル検出手段３３ａと第２メダル検出手段３３ｂとが同時にＯＮとなるか、又は第２メダル検出手段３３ｂのみがＯＮとなった場合にエラーと判定される。第１メダル検出手段３３ａのみがＯＮのとき（区間ｂ）には、第１メダル検出手段３３ａがＯＦＦとなるか、又は第１メダル検出手段３３ａのみがＯＮの状態が所定時間（例えば１００ｍｓ）以上継続した場合にエラーと判定される。
【００３９】
第１メダル検出手段３３ａと第２メダル検出手段３３ｂとが共にＯＮのとき（区間ｃ）には、第２メダル検出手段３３ｂがＯＦＦとなるか、又は第１メダル検出手段３３ａと第２メダル検出手段３３ｂとが共にＯＮの状態が所定時間（例えば１００ｍｓ）以上継続した場合にエラーと判定される。第２メダル検出手段３３ｂのみがＯＮのとき（区間ｄ）には、第１メダル検出手段３３ａがＯＮとなるか、又は第２メダル検出手段３３ｂのみがＯＮの状態が所定時間（例えば１００ｍｓ）以上継続した場合にエラーと判定される。
【００４０】
エラー判定手段により上記エラー検出条件が満たされたと判定されることなく、メダル検出手段３３による検出信号が、区間ａから区間ｂ，ｃ，ｄを経由して再び区間ａとなった場合には、適正メダルが正常に検出されたものとしてクレジットが加算される。
【００４１】
エラー判定手段によりエラー検出条件が満たされたと判定された場合には、遊技が停止され、音声、ランプ等によりエラーの発生が報知されると共に、可動ガイドプレート５２が非ガイド状態に切り替えられ、それ以降にメダル投入口１７に投入されたメダルは全てメダル受け皿２５に返却される。
【００４２】
なお、上記のように２つの第１，第２メダル検出手段３３ａ，３３ｂを案内通路３１に沿って配置し、それらの検出信号に基づいて、上記のようなエラー検出条件が満たされた場合にはエラーと判定することにより、多くの不正行為は防止できると考えられる。しかしながら、例えば例えば先端側に第１，第２メダル検出手段３３ａ，３３ｂに対応して発光手段等の信号出力部を配置した投入口挿入式不正器具を用い、これをメダル投入口１７から挿入して第１，第２メダル検出手段３３ａ，３３ｂを誤動作させる手口の不正行為については、上記のようなエラー判定を行うのみでは完全に排除することはできない。
【００４３】
本実施形態では、上記のように、案内通路３１上に互いに異なる向きに屈曲する第１，第２屈曲部４４，４５を設け、メダル検出手段３３を、それら第１，第２屈曲部４４，４５のうち、より下流側に設けられた第２屈曲部４５よりも下流側に配置しているため、投入口挿入式不正器具のアーム部分を、その先端側がメダル検出手段３３まで届くように形成することは困難であり、投入口挿入式不正器具による不正行為を効果的に防止できる。
【００４４】
なお、本実施形態では、第１，第２メダル検出手段３３ａ，３３ｂを共に第２屈曲部４５よりも下流側の延長通路部４３上に配置したが、複数のメダル検出手段３３ａ，３３ｂのうちの少なくとも１つ又は全てを第２屈曲部４５上に配置してもよい。
【００４５】
もちろん、メダル検出手段３３の配置位置は下流側であればあるほど不正行為に対して安全であると言えるが、できれば複数のメダル検出手段３３ａ，３３ｂのうちの少なくとも１つは、第２屈曲部４５の上流側に隣接する傾斜通路部４２の下縁部の下流側への延長線Ｌ１（図４参照）よりも下流側に配置することが望ましい。
【００４６】
更には、複数のメダル検出手段３３ａ，３３ｂのうちの少なくとも１つは、第２屈曲部４５の内周側と、その上流側の第１屈曲部４４の内周側との接線Ｌ２（図４参照）よりも下流側に配置することがより望ましい。
【００４７】
図１０は本発明の第２の実施形態を例示し、第１の実施形態を一部変更して、メダル検出手段３３を、第２屈曲部４５の内周側又はその下流側に沿って配置した例を示している。
【００４８】
第１の実施形態では、メダル検出手段３３ａ，３３ｂを全て第２屈曲部４５の外周側の下流部分に沿って配置したが、図１０に示すように、第２屈曲部４５の内周側又はその下流部分に配置することにより、メダル投入口１７からの距離が同程度であっても、投入口挿入式不正器具の先端側がよりメダル検出手段３３まで届き難くなり、不正行為に対して安全で且つ小型のメダル選別手段２６を提供できる。
【００４９】
なお、メダル検出手段３３ａを第２屈曲部４５の内周側に配置し、第２メダル検出手段３３ｂを外周側に配置する等、複数のメダル検出手段３３ａ，３３ｂを、第２屈曲部４５の内周側（又はその下流側）と外周側（又はその下流側）とに振り分けて配置してもよい。
【００５０】
図１１及び図１２は本発明の第３の実施形態を例示し、第１，第２屈曲部４４，４５の何れか一方、例えば第２屈曲部４５が案内通路３１を面外方向に屈曲させるように形成され、下流側の第２屈曲部４５上又はそれよりも下流側にメダル検出手段３３を配置した例を示している。
【００５１】
本実施形態のメダル選別手段２６は、図１１及び図１２に示すように、ベースプレート３４の側方に延長通路部材６１が例えば着脱自在に装着されており、その延長通路部材６１上に、第２屈曲部４５が設けられている。またベースプレート３４上には、案内通路３１のうち、縦通路部４１、傾斜通路部４２、第１屈曲部４４が同一平面内に形成されており、ベースプレート３４側の傾斜通路部４２の下流端側が、延長通路部材６１側の第２屈曲部４５の上流端側に連通している。
【００５２】
延長通路部材６１上に設けられた第２屈曲部４５は、ベースプレート３４側の案内通路３１に対する面外方向、例えば後ろ向きに屈曲しつつ傾斜しており、その下流端側がメダルホッパー１０の上側に臨んでいる。
【００５３】
また、延長通路部材６１上には、第２屈曲部４５に沿って第１，第２メダル検出手段３３ａ，３３ｂが配置されている。
【００５４】
このように、第２屈曲部４５を、案内通路３１を面外方向に屈曲させるように形成し、その第２屈曲部４５上にメダル検出手段３３を配置することで、投入口挿入式不正器具の先端側がよりメダル検出手段３３まで届き難くなり、不正行為に対する安全性が更に向上する。
【００５５】
以上、本発明の実施形態について詳述したが、この実施形態に限定されるものではなく、本発明の趣旨を逸脱しない範囲で種々の変更が可能である。例えば、案内通路３１上の屈曲部の数は２箇所に限られるものではなく、３箇所以上設けてもよい。
【００５６】
第１，第２屈曲部４４，４５を共に案内通路３１を面外方向に屈曲させるように形成してもよい。
【００５７】
第３の実施形態の場合、第２屈曲部の下流側に延長通路部を設け、その延長通路部上にメダル検出手段３３を配置してもよい。
【００５８】
また、第３の実施形態の場合も、第２の実施形態と同様、メダル検出手段３３を第２屈曲部４５の内周側又はその下流側に沿って配置してもよい。
【００５９】
メダル検出手段３３は３個以上配置してもよい。また、複数のメダル検出手段３３を一体に設けてもよい。また、メダル検出手段３３はフォトセンサに限られるものではなく、メダルの通過を検出可能なものであればどのようなものでもよい。
【００６０】
メダル検出手段３３よりも上流側で不適正メダルを案内通路３１上から除去する不適正メダル除去機構は、実施形態で示したものに限らず、公知の種々の機構を採用できる。
【００６１】
なお、実施形態では、本発明をスロットマシンに適用した例を示したが、遊技媒体としてメダルを使用するものであればどのような種類の遊技機においても同様に実施可能であることは言うまでもない。
【図面の簡単な説明】
【００６２】
【図１】本発明の第１の実施形態を示すスロットマシンの正面図である。
【図２】本発明の第１の実施形態を示すスロットマシンの本体ケースの正面図である。
【図３】本発明の第１の実施形態を示すメダル選別手段の背面図である。
【図４】本発明の第１の実施形態を示すメダル選別手段のベースプレートの背面図である。
【図５】本発明の第１の実施形態を示すメダル選別手段の側面断面図である。
【図６】本発明の第１の実施形態を示すメダル選別手段のＡ−Ａ断面図である。
【図７】本発明の第１の実施形態を示すメダル選別手段のＢ−Ｂ断面図である。
【図８】本発明の第１の実施形態を示すメダル選別手段の不適正メダル除去動作の説明図である。
【図９】本発明の第１の実施形態を示すエラー検出条件の一例である。
【図１０】本発明の第２の実施形態を示すメダル選別手段の背面図である。
【図１１】本発明の第３の実施形態を示すメダル選別手段の背面図である。
【図１２】本発明の第３の実施形態を示すメダル選別手段の平面断面図である。
【符号の説明】
【００６３】
１０  メダルホッパー（メダル貯留部）
１７  メダル投入口
３１  案内通路
３２  不適正メダル除去手段
３３  メダル検出手段
４１  縦通路部
４２  傾斜通路部
４３  延長通路部
４４  第１屈曲部
４５  第２屈曲部
【図１】
2006263195.tif 000003
【図２】
2006263195.tif 000004
【図３】
2006263195.tif 000005
【図４】
2006263195.tif 000006
【図５】
2006263195.tif 000007
【図６】
2006263195.tif 000008
【図７】
2006263195.tif 000009
【図８】
2006263195.tif 000010
【図９】
2006263195.tif 000011
【図１０】
2006263195.tif 000012
【図１１】
2006263195.tif 000013
【図１２】
2006263195.tif 000014